(57)【特許請求の範囲】
【請求項１】
合成樹脂製の基台に所定間隔を存して立設された複数の固定接片と、これら固定接片に接離可能なクリップ状の可動接片と、この可動接片を前記固定接片の配列方向へ往復移動する操作体とを備え、
前記基台に前記可動接片によって挾持される突堤を一体成形し、この突堤の一面に前記固定接片を露出させると共に、該突堤の他面にカム山を形成し、かつ、前記突堤に前記固定接片の全ての破断面を覆う被覆部を形成し、この被覆部に前記基台の底面に向かって拡がるテーパを付けたことを特徴とするスライド操作型スイッチ。
【請求項２】
前記基台に前記突堤を互いに平行に複数列形成し、これら複数の突堤のいずれか１列にのみ前記カム山を形成したことを特徴とする請求項１に記載のスライド操作型スイッチ。
【請求項３】
前記操作体の操作つまみ部に最も近い列の前記突堤に前記カム山を形成したことを特徴とする請求項２に記載のスライド操作型スイッチ。
【発明の詳細な説明】
【０００１】
【発明の属する技術分野】
本発明はスライド操作型スイッチに係り、より詳しくは、操作者にクリック感（節度感）を付与するためのクリック機構に関する。
【０００２】
【従来の技術】
従来より、クリック機構を付設したスライド操作型スイッチとして、実開昭５８−８５７３０号公報に記載された構造が知られている。同公報に記載されたスライド操作型スイッチは、操作者によって手動操作される操作体と、この操作体に保持されたクリップ状の可動接片と、合成樹脂製の基台に所定間隔を存して立設された複数の固定接片、および操作体に形成されたカム山に弾接する板ばね等で構成されており、可動接片は固定接片を挾持するように組み込まれている。
【０００３】
使用に際し、操作者が操作体を固定接片の配列方向に往復移動すると、可動接片が複数の固定接片と選択的に接離し、オン・オフの切換え動作が行われる。この時、操作体のカム山と板ばねの突部との係脱によりクリック感が生起され、このクリック感は操作者の手指に伝達される。したがって、操作者はオン・オフの切換え動作が行われたことをクリック感によって確認することができる。
【０００４】
【発明が解決しようとする課題】
しかしながら、前述した従来のスライド操作型スイッチにあっては、クリック感を生起するための板ばねが必要であるため、部品点数が増加し、低コスト化や小型化の妨げになるという問題があった。
【０００５】
また、一般的に、固定接片は表面に貴金属メッキが施された銅板等を母材として用い、これを所定形状にプレス抜きしたものであるため、プレス抜き時の破断面にメッキが付着せずに母材が露出することになる。しかしながら、前述した従来のスライド操作型スイッチにあっては、固定接片は単に基台に立設されているだけで、可動接片との摺動面のみならずプレス抜きされた破断面（端面）も露出しているため、固定接片の破断面が腐蝕しやすいという問題もあった。
【０００６】
本発明は、このような従来技術の実情に鑑みてなされたもので、その目的は、板ばねを省略して低コスト化や小型化に好適なスライド操作型スイッチを提供することにあり、他の目的は、固定接片の腐蝕を防止して信頼性の高いスライド操作型スイッチを提供することにある。
【０００７】
【課題を解決するための手段】
本発明は、合成樹脂製の基台に可動接片によって挾持される突堤を一体成形し、この突堤の一面に固定接片を露出させ、他面にカム山を形成すると共に、このような突堤に固定接片の全ての破断面を覆う被覆部を形成し、この被覆部に基台の底面に向かって拡がるテーパを付けることとする。このように可動接片によって挾持される突堤にカム山を形成すると、操作体に連動してクリップ状の可動接片が突堤に沿って移動する際、突堤の一面に露出する固定接片に対して可動接片が選択的に接離することにより、オン・オフの切換え動作が行われると共に、突堤の他面に形成されたカム山に対して可動接片が係脱することにより、クリック感が生起される。また、突堤に固定接片の全ての破断面を覆う被覆部を形成してあるので、固定接片が腐蝕しにくくなって信頼性を高めることができ、しかも、この被覆部に基台の底面に向かって拡がるテーパを付けてあるので、クリップ状の可動接片を突堤に対して容易に組み込むことができる。
【０００８】
【発明の実施の形態】
本発明のスライド操作型スイッチでは、合成樹脂製の基台に所定間隔を存して立設された複数の固定接片と、これら固定接片に接離可能なクリップ状の可動接片と、この可動接片を前記固定接片の配列方向へ往復移動する操作体とを備え、前記基台に前記可動接片によって挾持される突堤を一体成形し、この突堤の一面に前記固定接片を露出させると共に、該突堤の他面にカム山を形成し、かつ、前記突堤に前記固定接片の全ての破断面を覆う被覆部を形成し、この被覆部に前記基台の底面に向かって拡がるテーパを付けてある。
【０００９】
前記突堤は回路数に応じて１列または複数列成形されるが、複数列の突堤を成形する場合は、安定したクリック感を生起させるために、いずれか１つの突堤にのみカム山を形成し、残余の突堤にカム山を形成しないことが好適である。その際、カム山が形成された突堤を操作体の操作部に最も近い列に配置すると、操作体の動作フィーリングを特に良好なものにすることができる。
【００１２】
【実施例】
実施例を図面を参照して説明すると、図１は本発明の第１実施例に係るスライド操作型スイッチの縦断面図、図２は該スイッチの分解斜視図である。
【００１３】
これらの図に示すように、合成樹脂で成形されたウエハ１は上面を開放した箱形形状をなし、その底面には複数の固定接片２が立設されている。これら固定接片２は銅板の表面に貴金属メッキを施したもので、ウエハ１の下面へ突出する部分は端子２ａとなっている。固定接片２はウエハ１の内部で二列に配設されており、それぞれの列で所定間隔を存して離間している。また、ウエハ１の内部には各固定接片２に対応して互いに平行な二列の突堤３が形成されており、これら突堤３はウエハ１に固定接片２をアウトサートする際に一体成形される。各固定接片２は突堤３の一側面内に露出しているが、この露出面を除く部分、すなわち、上端を含む全ての破断面は突堤３で覆われている。また、突堤３の他側面には複数のカム山３ａが形成され、突堤３の上端には上窄まりなテーパ３ｂが形成されている。
【００１４】
前記ウエハ１の上面開放端は金属板製のカバー４によって覆われており、これらカバー４とウエハ１との間に合成樹脂で成形された操作体５が往復移動可能に配置されている。この操作体５には一対の凹部５ａが形成されると共に、ウエハ１の外部へ突出するつまみ部５ｂが形成されている。各凹部５ａ内にはクリップ状の可動接片６が保持されており、それぞれの可動接片６には複数の接点６ａが相対向して設けられている。この可動接片６はリン青銅等の弾性に富む材料で形成されており、前記突堤３の両側面を挾持するように挿入されている。
【００１５】
次に、上記の如く構成されたスイッチの動作について説明する。操作者がウエハ１から突出する操作体５のつまみ部５ｂを手指等でスライド操作すると、操作体５に保持された可動接片６は突堤３を挾持した状態で、該突堤３の長手方向に移動する。これにより、可動接片６の一方の接点６ａが複数の固定接片２と選択的に接離し、オン・オフの切換え動作が行われると共に、可動接片６の他方の接点６ａが複数のカム山３ａと選択的に係脱し、クリック感が生起される。したがって、操作者はオン・オフの切換え動作が行われたことをクリック感を伴って確認することができる。
【００１６】
このように、本実施例に係るスライド操作型スイッチによれば、突堤３の一面に露出する固定接片２に対して可動接片６の接点６ａが選択的に接離することにより、オン・オフの切換え動作が行われると共に、突堤３の他面に形成されたカム山３ａに対して可動接片６の接点６ａが係脱することにより、クリック感が生起されるため、クリック出し用の板ばねが省略され、低コスト化と小型化を図ることができる。また、固定接片２の全ての破断面が合成樹脂製の突堤３で覆われているため、固定接片２が腐蝕しにくくなり、信頼性を高めることができる。さらに、突堤３の上端に上窄まりなテーパ３ｂが形成されているため、可動接片６を突堤３に対して簡単に挿入することができ、組立作業性を高められる。
【００１７】
図３は本発明の第２実施例に係るスライド操作型スイッチの横断面図であり、図１と図２に対応する部分には同一符号を付してある。
【００１８】
図３に示す実施例では、ウエハ１の内部に成形された互いに平行な二列の突堤３のうち、操作体５のつまみ部５ｂに近い方（図の下側）の突堤３には、前述した実施例と同様に固定接片２とカム山３ａが形成されているが、操作体５のつまみ部５ｂから遠い方（図の上側）の突堤３には、固定接片２が露出しているだけでカム山３ａは形成されていない。この場合も、操作者が操作体５のつまみ部５ｂを手指等でスライド操作すると、各可動接片６はそれぞれの突堤３を挾持した状態でスライド方向に移動し、可動接片６の接点６ａが対応する固定接片２と選択的に接離することにより、２回路用接点のオン・オフ動作が行われる。その際、カム山３ａを有する一方の突堤３側からは前述の如くクリック感が生起され、カム山３ａを有さない他方の突堤３側からはクリック感が生起されないが、操作者はオン・オフの切換え動作が行われたことを一方の突堤３から生起されるクリック感によって確認することができる。
【００１９】
このように構成されたスライド操作型スイッチによれば、前述した第１実施例の効果に加え、両方の突堤３にカム山３ａを形成した場合に懸念されるクリック感の低下、すなわち、例えば両突堤３間におけるカム山３ａが位置ずれした場合や、操作体５にガタがある場合に発生する２回路間での不所望なクリック感がなくなり、２回路用スイッチにおけるクリック感を安定化することができる。また、カム山３ａを有する突堤３が操作体５のつまみ部５ｂに近い方の列に位置しているため、操作者の手指等で操作されるつまみ部５ｂとクリック感が生起されるカム山３ａとの距離が短くなり、操作体５の動作フィーリングを良好なものにすることができる。
【００２０】
なお、上記各実施例では、二列の固定接片２群と２個の可動接片６を有する２連タイプ（２回路用）のスライド操作型スイッチを挙げて説明したが、スイッチの連数は２連に限定されず、単連（１つ）あるいは３連以上にも適用することができる。特に、３連以上に適用した場合は、全ての突堤３にカム山３ａを形成しても良いが、上記第２実施例で説明したように、いずれか１つの突堤３のみにカム山３ａを形成することが、クリック感を安定化させる上で好適である。
【００２１】
また、上記各実施例では、操作体５が水平方向に移動するホリゾンタルタイプのスライド操作型スイッチについて説明したが、操作体５が垂直方向に移動すバーチカルタイプのスライド操作型スイッチにも本発明を適用できるのはいうまでもないことである。
【００２２】
【発明の効果】
本発明は、以上説明したような形態で実施され、以下に記載されるような効果を奏する。
【００２３】
合成樹脂製の基台に可動接片によって挾持される突堤を一体成形し、この突堤の一面に固定接片を露出させ、他面にカム山を形成することにより、操作体に連動して可動接片が突堤に沿って移動する際、突堤の一面に露出する固定接片に対して可動接片が選択的に接離してオン・オフの切換え動作が行われると共に、突堤の他面に形成されたカム山に対して可動接片が係脱してクリック感が生起されるため、クリック出し用の板ばねが省略され、低コスト化と小型化を図ることができる。
【００２４】
また、前記突堤に固定接片の全ての破断面を覆う被覆部が形成されているため、固定接片が腐蝕しにくくなり、信頼性を高めることができる。
【００２５】
しかも、前記突堤の被覆部に基台の底面に向かって拡がるテーパが付けられているため、可動接片を突堤に対して簡単に挿入することができ、組立作業性を高めることができる。
【００２６】
また、多回路化に対応して前記突堤を複数列成形した場合に、いずれか１つの突堤のみにカム山を形成し、残余の突堤にカム山を形成しないと、各回路間でクリック感がばらつくことがなくなり、安定したクリック感を生起させることができる。その際、カム山が形成された突堤を操作体の操作部に最も近い列に配置すると、操作体の動作フィーリングを特に良好なものにすることができる。
【図面の簡単な説明】
【図１】本発明の一実施例に係るスライド操作型スイッチの縦断面図である。
【図２】該スイッチの分解斜視図である。
【図３】本発明の他の実施例に係るスライド操作型スイッチの横断面図である。
【符号の説明】
１  ウエハ（基台）
２  固定接片
３  突堤
３ａ  カム山
３ｂ  テーパ
４  カバー
５  操作体
５ａ  凹部
５ｂ  つまみ部
６  可動接片
６ａ  接点
【図１】
0003596971.tif 000002
【図２】
0003596971.tif 000003
【図３】
0003596971.tif 000004